(57)【特許請求の範囲】
【請求項１】
２つのＭＲ（Ｍａｇｎｅｔｏ  Ｒｅｓｉｓｔｉｖｅ）ヘッドを用いて所定のディスク領域の再生を行うハードディスク装置の再生アンプ回路において、
前記ＭＲヘッドに所定の電圧を印加する負帰還回路と接続するＭＲヘッドの切り替えをヘッド切り替え信号に応じて行うＭＲヘッド切り替え手段と、
前記負帰還回路を形成する増幅器の動作を所定の時間オフする第１の切り替え手段と、
前記負帰還回路の経路途中に設けられたコンデンサの放電を行う電流源と、
前記第１の切り替え手段のオフ動作に応じて前記電流源と前記コンデンサとの接続をオンする第２の切り替え手段と、
を有することを特徴とするハードディスク装置の再生アンプ回路。
【請求項２】
前記第１の切り替え手段は、前記ヘッド切り替え信号が変化した時に前記増幅器の動作を所定の時間オフにすることを特徴とする請求項１記載のハードディスク装置の再生アンプ回路。
【請求項３】
前記第２の切り替え手段は、前記第１の切り替え手段が前記増幅器の動作をオフしている間、前記電流源と前記コンデンサの接続をオンすることを特徴とする請求項１記載のハードディスク装置の再生アンプ回路。
【請求項４】
前記ＭＲヘッド切り替え手段は、前記第１の切り替え手段が前記増幅器の動作をオフしてから再びオンするまでの間の任意の時間にＭＲヘッドの切り替えを行うことを特徴とする請求項１記載のハードディスク装置の再生アンプ回路。
【発明の詳細な説明】
【０００１】
【発明の属する技術分野】
本発明はハードディスク装置の再生アンプ回路に関し、特にＭＲ（Ｍａｇｎｅｔｏ  Ｒｅｓｉｓｔｉｖｅ）ヘッドを用いたハードディスク装置の再生アンプ回路に関する。
【０００２】
【従来の技術】
ハードディスク装置（以下、ＨＤＤとする。ＨＤＤ：Ｈａｒｄ  Ｄｉｓｋ  Ｄｒｉｖｅ）のディスクの読み出しを行うＨＤＤの再生アンプ回路のヘッドは、磁界によって電気抵抗が変化するＭＲ素子を用いたＭＲヘッドが主流となっている。
【０００３】
従来のＭＲヘッドを用いたＨＤＤの再生アンプ回路について説明する。図３は、従来のＭＲヘッドを用いたＨＤＤの再生アンプ回路の回路図である。このＨＤＤの再生アンプ回路は、ＭＲの両端電圧を固定にして信号を電流として取り出す、Ｖｏｌｔａｇｅ  Ｂｉａｓ  Ｃｕｒｒｅｎｔ  Ｓｅｎｓｉｎｇ方式の再生アンプ回路である。
【０００４】
ＨＤＤはディスクの裏表の両面に記録するので、ディスク１枚あたりＭＲヘッドはＭＲ０、ＭＲ１の２個用意される。これに対し、読み出し／書き込み用アンプは、全てのディスの記録／再生を１つの回路で行うため、ＭＲヘッドを選択する切り替えスイッチＳ１、Ｓ２が設けられている。
【０００５】
ＭＲヘッドＭＲ０を選択した場合には、スイッチＳ１はａ側、スイッチＳ２はｃ側に接続し、オペアンプＧｍ１の反転入力（−）はＭＲ０に、出力はトランジスタＱ２のベースに接続する。このような回路では、内部で発生させた電圧Ｖ１がＨ０に発生するようにオペアンプＧｍ１が動作する。コンデンサＣ１はオペアンプＧｍ１のノイズ除去用に設けられている。この状態で、ハードディスク上の磁界の変化を受けて、ＭＲ０の抵抗値が変化すると、変化分は電流としてＲ１へ伝達される。オペアンプＡ１では、この変化分の電流を増幅して出力端子Ｖ０に取り出す。このようにして、ＭＲヘッドＭＲ０による再生処理が行われる。
【０００６】
ＭＲヘッドＭＲ１を選択した場合も同様である。スイッチＳ１はｂ、スイッチ２はｄに接続し、オペアンプＧｍ１の反転入力（−）はＭＲ１に、出力はトランジスタＱ１のベースに接続する。このような回路では、内部で発生させた電圧Ｖ１がＨ１に発生するようにオペアンプＧｍ１が動作する。この状態で、ハードディスク上の磁界の変化を受けて、ＭＲ１の抵抗値が変化すると、変化分は電流としてＲ１へ伝達される。オペアンプＡ１では、この変化分の電流を増幅して出力端子Ｖ０に取り出す。このようにして、ＭＲヘッドＭＲ１による再生処理が行われる。
【０００７】
スイッチＳ１、Ｓ２の切り替えは、通常同時に行われる。スイッチＳ１とＳ２を同時に切り替えれば、例えばＭＲ０からＭＲ１へヘッドの切り替え信号が変化する場合、スイッチＳ１、Ｓ２が切り替わると同時に、ＭＲ１のＨ１端子にＶ１を発生させることができる。
【０００８】
【発明が解決しようとする課題】
しかし、上記説明の従来のＭＲヘッドを用いたＨＤＤの再生アンプ回路は、ＭＲヘッド切り替え時に、ＭＲヘッドに過電圧が印加されるという問題がある。
【０００９】
ＭＲヘッドの切り替え時、例えば、ＭＲヘッドＭＲ０からＭＲヘッドＭＲ１へ切り替える場合、ＭＲヘッド切り替え信号が同時にスイッチＳ１及びスイッチＳ２に伝達されるが、寄生容量や配線抵抗の影響で、スイッチの切り替わりにはズレが生じる。
【００１０】
図４は、従来のＭＲヘッドを用いたＨＤＤの再生アンプ回路のタイミングチャートである。スイッチＳ１の切り替わりがスイッチＳ２よりｔ３時間遅延した場合について説明する。ヘッドの切り替え信号が、Ｈ０からＨ１へ変化したとき、まず、スイッチＳ２がｃからｂへ切り替わる。スイッチＳ１の切り替わりが発生するまでのｔ３時間の間、電圧値がＧＮＤであるＨ１の電圧がオペアンプＧｍ１の反転入力（−）に接続されることになり、演算増幅器（以下、オペアンプとする）Ｇｍ１はＡ点での電圧を上昇させる方向に働く。この間、Ｈ１端子に発生する電圧は、ＧＮＤを継続する。ｔ３時間遅れてスイッチＳ１がａからｂへ切り替わる。スイッチＳ１が切り替わると同時に、上記説明のようにオペアンプＧｍ１により上昇した電圧がＨ１に印加される。その後、Ｈ１の電圧をＶ１とするようにオペアンプＧｍ１が動作するため、Ｈ１端子の電圧は徐々に下降してＶ１になり、その状態が保持される。  このように、スイッチＳ１がスイッチＳ２よりも遅延した場合、ＭＲヘッドＭＲ１に過電圧が印加されるという問題がある。
【００１１】
また、逆にスイッチＳ２がスイッチＳ１に対してｔ３時間遅れた場合について説明する。スイッチＳ１が切り替わると同時に、ＭＲ１のＨ１端子に電圧Ｖ１が発生する。ところが、ｔ３時間経過するまでスイッチＳ２は切り替わらず、オペアンプＧｍ１の反転入力（−）には、ＧＮＤまで低下しようとしているＨ０が接続している。このようにオペアンプＧｍ１の反転入力（−）には、非反転入力端子（＋）より低い電圧が印加されるので、上記説明のスイッチＳ１の切り替わりが遅れた場合と同様に、オペアンプＧｍ１はＡ点での電圧を上昇させる方向に働く。従って、スイッチＳ２がスイッチＳ１よりも遅延した場合も、ＭＲヘッドＭＲ１に過電圧が印加される。
【００１２】
上記説明のように、どちらの切り替わりが先であっても、スイッチＳ１、Ｓ２の切り替わりにズレが生じた場合、ＭＲヘッドに過電圧が印加され、ＭＲヘッドの信頼性を低下させる要因となる。
【００１３】
本発明はこのような点に鑑みてなされたものであり、ヘッド切り替え時にヘッドに過電圧が印加されないハードディスク装置の再生アンプ回路を提供することを目的とする。
【００１４】
【課題を解決するための手段】
本発明では上記課題を解決するために、２つのＭＲ（Ｍａｇｎｅｔｏ  Ｒｅｓｉｓｔｉｖｅ）ヘッドを用いて所定のディスク領域の再生を行うハードディスク装置の再生アンプ回路において、前記ＭＲヘッドに所定の電圧を印加する負帰還回路と接続するＭＲヘッドの切り替えをヘッド切り替え信号に応じて行うＭＲヘッド切り替え手段と、前記負帰還回路を形成する増幅器の動作を所定の時間オフする第１の切り替え手段と、前記負帰還回路の経路途中に設けられたコンデンサの放電を行う電流源と、前記第１の切り替え手段のオフ動作に応じて前記電流源と前記コンデンサとの接続をオンする第２の切り替え手段と、を有することを特徴とするハードディスク装置の再生アンプ回路、が提供される。
【００１５】
このような構成のハードディスク装置の再生アンプ回路は、負帰還回路によりＭＲヘッドの両端電圧を固定にし、ディスク上の磁界の変化に応じてＭＲの抵抗値が変化することを利用してディスクの読み出し（再生）を行う。ＭＲヘッド切り替え手段は、ディスク１枚に対して２つ用意されているＭＲヘッドの切り替えを行い、所望のディスク領域の再生を行う。ＭＲヘッド切り替え手段によりＭＲヘッドの切り替えが行われる前に、第１の切り替え手段により負帰還回路を形成するオペアンプの動作をオフにし、ＭＲヘッドの切り替えが終了するまで、負帰還回路の機能を停止させる。また、この時、第２の切り替え手段によりコンデンサと電流源を接続し、コンデンサを放電する。続いて、ＭＲヘッド切り替え手段によりＭＲヘッドの切り替えを行い、第１の切り替え手段及び第２の切り替え手段の状態を元に戻し、負帰還回路の動作を再開させる。
【００１６】
【発明の実施の形態】
以下、本発明の実施の形態を図面を参照して説明する。図１は、本発明の一実施の形態であるＭＲヘッドを用いたＨＤＤの再生アンプ回路の回路図である。
【００１７】
本発明に係るＨＤＤの再生アンプ回路は、ＭＲヘッドＭＲ０、ＭＲ１の両端電圧を所定の値に制御する負帰還回路として、オペアンプＧｍ１の非反転入力端子（＋）には電源Ｖ１が、反転入力端子（−）には、スイッチＳ２により選択されたＭＲヘッドＭＲ０またはＭＲ１の端部Ｈ０またはＨ１が接続しており、オペアンプＧｍ１の出力は、スイッチＳ１により選択されたＭＲヘッドＭＲ０またはＭＲ１に接続するトランジスタＱ２またはＱ１のベースに接続している。オペアンプＧｍ１は、スイッチＳ４のオン／オフにより、動作をオン／オフさせることができる。また、負帰還回路の経路途中に、オペアンプＧｍ１の出力ノイズを除去するコンデンサＣ１と、コンデンサＣ１の放電をするための電流源Ｉ１がスイッチＳ３を介して接続している。トランジスタＱ１、Ｑ２は、抵抗Ｒ１、オペアンプＡ１に接続しており、ＭＲ１、ＭＲ０の抵抗値の変化によりＲ１へ伝達される電流は、オペアンプＡ１で増幅され、出力端子Ｖ０で取り出される。
【００１８】
スイッチＳ１とスイッチＳ２は、ＭＲヘッドを切り替えるためのＭＲヘッド切り替え手段であり、連動して動作をする。ＭＲ０が選択された場合、スイッチＳ１はａを、スイッチＳ２はｃ側に接続する。また、ＭＲ１が選択された場合、スイッチＳ１はｂを、スイッチＳ２はｄ側に接続する。
【００１９】
スイッチＳ４は、負帰還回路を形成するオペアンプＧｍ１の動作を所定の時間オフする第１の切り替え手段であり、ヘッド切り替え信号の変化を検出すると、所定のｔ１時間、オペアンプＧｍ１をオフする。通常時は、オンである。
【００２０】
スイッチＳ３は、電流源Ｉ１の接続をオン／オフする第２の切り替え手段であり、スイッチＳ４と連動して動作する。スイッチＳ４がオフの間、スイッチＳ３はオンになり、電流源Ｉ１とコンデンサＣ１を接続し、コンデンサＣ１の放電を行う。通常時は、オフである。
【００２１】
上記説明のように、通常時、スイッチＳ３はオフで、スイッチＳ４はオンである。この状態では、従来の技術で説明した図３の通常状態と同等の回路動作を行う。このため、通常時の動作の説明は省略する。
【００２２】
次に、このような構成のハードディスク装置の再生アンプ回路におけるヘッド切り替え時の動作について説明する。図２は、本発明の一実施の形態であるＭＲヘッドを用いたＨＤＤの再生アンプ回路のタイミングチャートである。ここでは、ＭＲヘッドをＭＲ０からＭＲ１へ切り替える場合について説明する。
【００２３】
ヘッド切り替え信号が、Ｈ０（ＭＲ０選択）からＨ１(ＭＲ１選択)へ切り替わる。この切り替え時点をＸとする。Ｘは、ヘッド切り替え動作の開始点になる。ヘッド切り替え信号の変化と同時に、オペアンプＧｍ１をオン／オフするスイッチＳ４がオフになり、オペアンプＧｍ１をオフする。これは、オペアンプＧｍ１のアクティブな状態のまま、ＭＲヘッドを切り替えると、上記説明のようにＡ点での電位が上昇してしまうため、これを防止するために行われる。同時に、電流源Ｉ１とコンデンサＣ１を接続するスイッチＳ３がオンになり、電流源Ｉ１とコンデンサＣ１が接続し、コンデンサＣ１の放電が行われる。コンデンサＣ１の電荷を放電することにより、Ａ点の電位を下げることになる。このようにして、ヘッド切り替え信号変化時（Ｘ）からＡ点の電位は徐々に下降を続ける。この状態では、まだＭＲヘッドの切り替えを行うスイッチＳ１及びスイッチＳ２は、ＭＲ０を選択しているので、ＭＲ１側の端子Ｈ１の電圧ＶＨ１は、ＧＮＤにある。
【００２４】
Ｘからｔ２時間送れて、ＭＲヘッドの切り替えを行うスイッチＳ１、Ｓ２が切り替え動作を行う。スイッチＳ１はａからｂへ、スイッチＳ２はｃからｄへ切り替わる。この時、Ａ点の電位からＶＢＥ低い電圧がＨ１に発生し、オペアンプＧｍ１のオフの時間ｔ１が経過するまで、Ｈ１の電位はＡ点の電位に追従して動く。
【００２５】
Ｘからｔ１時間経過し、オペアンプＧｍ１をオフしていたスイッチＳ４は、オンに変化する。この時点をＹとする。同時に、コンデンサＣ１を放電するために電流源Ｉ１を接続していたスイッチＳ３がオフになり、電流源Ｉ１が切り離される。この状態では、ＭＲヘッドはＭＲ１に切り替わっており、オペアンプＧｍ１は、Ｈ１の電圧をＶ１と一致させるように動作を開始しする。これにより、Ａ点及びＶＨ１の電位が徐々に上昇し、Ｖ１と一致した後は、これが保持される。ＶＨ１の電圧がＶ１と一致した時点をＺとする。
【００２６】
このように、ヘッド切り替え信号が変化したＸから、ヘッドの切り替えが完了しオペアンプＧｍ１が動作を開始するＹまでの期間に、ＭＲヘッドの電圧を決めるＡ点の電位が上昇することがないよう、ＭＲヘッドの切り替え途中にオペアンプＧｍ１が動作しないよう、各切り替えスイッチには時間差を設けている。このため、切り替え時にＭＲヘッドに過電圧が印加されることを防止することができる。
【００２７】
ＸからＺまでの時間が、ＭＲヘッドの切り替えに要する時間となる。ＸからＺまでの時間は、ＨＤＤの要求仕様に合わせて、ｔ１、ｔ２の時間設定を行って決める。上記の説明ではｔ２＜ｔ１としたが、ｔ２＝ｔ１とすることもできる。
【００２８】
【発明の効果】
以上説明したように本発明では、ＭＲヘッドの切り替え時、切り替えが行われる前に、負帰還回路を形成するオペアンプの動作をオフにし、コンデンサを放電する。続いて、ＭＲヘッドの切り替えを行い、オペアンプの動作をオンにし、コンデンサの放電を停止し、負帰還回路の動作を再開させる。このように、ＭＲヘッドの切り替え時に時間差を設けて負帰還回路の動作を停止させることにより、ＭＲヘッドの切り替え時にＭＲヘッドに過電圧が印加されることを防止することができる。また、過電圧の印加を防止できることにより、ＭＲヘッドの信頼性が向上する。
【図面の簡単な説明】
【図１】本発明の一実施の形態であるＭＲヘッドを用いたＨＤＤの再生アンプ回路の回路図である。
【図２】本発明の一実施の形態であるＭＲヘッドを用いたＨＤＤの再生アンプ回路のタイミングチャートである。
【図３】従来のＭＲヘッドを用いたＨＤＤの再生アンプ回路の回路図である。
【図４】従来のＭＲヘッドを用いたＨＤＤの再生アンプ回路のタイミングチャートである。
【符号の説明】
ＭＲ０、ＭＲ１…ＭＲヘッド、Ｑ１，Ｑ２…トランジスタ、Ｒ１…抵抗、
Ｇｍ1…オペアンプ、Ｓ１，Ｓ２，Ｓ３，Ｓ４…スイッチ、Ｃ１…コンデンサ
Ａ１…アペアンプ、Ｖ１…電源、Ｉ１…電流源
【図１】
0004069538.tif 000002
【図２】
0004069538.tif 000003
【図３】
0004069538.tif 000004
【図４】
0004069538.tif 000005